(57)【要約】  【課題】長尺防護チューブを保護カバーで被覆して室内壁面などに配線する。  【解決手段】光ファイバーケーブル素線１は２芯の光ファイバーケーブルの外被覆を剥いて取り出し、柔軟タイプのプラスチック素材からなる透明の長尺防護チューブ２内に挿通させたものである。この長尺防護チューブ２は室内の壁面等に貼着される長尺のチューブ嵌め込み案内体３の上部に形成されたスリット３ａから押し込めてトンネル状の空間部３ｂに嵌め込まれる。チューブ嵌め込み案内体３は、比較的、柔軟なプラスチック素材等で形成される。この案内体３の底面には、接着剤４が塗布されていて、室内の壁面等に貼着される。また、チューブ嵌め込み案内体３の両側面には、保護カバー５を装着する際の係止溝３ｃが形成されていて、この係止溝３ｃに保護カバー５の係合部５ａを嵌め込んで保護カバー５を装着する。  【選択図】図１
2008070399.tif 000002
【特許請求の範囲】
【請求項１】
光ファイバーケーブル素線を挿通させた長尺の防護チューブと、
この防護チューブが嵌め込まれる空間部を有する室内に配設されるチューブ嵌め込み案内体と、
このチューブ嵌め込み案内体を覆うように装着される保護カバーと、を備えたことを特徴とする光ファイバーケーブル素線の保護装置。
【請求項２】
前記防護チューブは、その外周に小径のチューブを有し、この小径のチューブに光ファイバーケーブル素線保護鋼線を貫通させてその鋼線を防護チューブに固定させたことを特徴とする請求項１記載の光ファイバーケーブル素線の保護装置。
【発明の詳細な説明】
【技術分野】
【０００１】
この発明は、光ファイバーケーブル素線を光ファイバーケーブルから剥き出して各家庭の室内壁面等に沿わせて配線する際の光ファイバーケーブル素線の保護装置に関するものである。
【背景技術】
【０００２】
近年、光ファイバーケーブルが各家庭の様々な用途（例えば、通信、共聴、防犯）に使用されるようになって来ている。しかし、既存の住宅や集合住宅には、光ファイバーケーブルが敷設されていないことが多い。このため、これら住宅の壁面や、床面にも光ファイバーケーブルをあまり目立つこと無く配線することが要望されている。通常、上記住宅内で使用される光ファイバーケーブルは、２芯から４芯のケーブルが多いが、例えば、２芯の光ファイバーケーブルでも、室内の壁面や床面に沿わせて配線する際には、プラスチックカバー（約１〜２ｃｍ）を使用して光ファイバーケーブルを保護して配線する手段が採用されている。
【特許文献１】特開２００５−２３７１２６号公報
【発明の開示】
【発明が解決しようとする課題】
【０００３】
上記のように、２芯の光ファイバーケーブルを既存の住宅や集合住宅内に配線するには、光ファイバーケーブルを天井裏や壁裏に隠蔽配線することが望ましいが、隠蔽配線ができない住宅の場合には、上述のように光ファイバーケーブルを、プラスチックカバーで被覆して配線する手段が講じられるために、どうしても目立つ配線になってしまう問題がある。このため、特に、既存の住宅や集合住宅に光ファイバーケーブルを後から配線するには、できるだけ目立たないように配線することが要望されている。
【０００４】
この発明は、上記の事情に鑑みてなされたもので、光ファイバーケーブル素線を光ファイバーケーブルから剥き出して各家庭の室内壁面等に沿わせて配線する際に、その光ファイバーケーブル素線を柔軟なプラスチック材からなる長尺防護チューブ内に挿通させて素線を防護してから、長尺防護チューブを保護カバーで被覆して室内壁面などに配線するようにした光ファイバーケーブル素線の保護装置を提供することを目的とする。
【課題を解決するための手段】
【０００５】
この発明は、上記の課題を達成するために、第１発明は、光ファイバーケーブル素線を挿通させた長尺の防護チューブと、この防護チューブが嵌め込まれる空間部を有する室内に配設されるチューブ嵌め込み案内体と、このチューブ嵌め込み案内体を覆うように装着される保護カバーと、を備えたことを特徴とするものである。
【０００６】
第２発明は、前記防護チューブには、その外周に小径のチューブを有し、この小径のチューブに光ファイバーケーブル素線保護鋼線を貫通させてその鋼線を防護チューブに固定させたことを特徴とするものである。
【発明の効果】
【０００７】
以上述べたように、この発明によれば、既存の住宅や集合集宅においても、多様で大容量の情報の送受信が可能な光ファイバーケーブルを、住宅内に目立つことなく配線することができるとともに、その配線工事も比較的簡単でありながら、光ファイバーケーブル素線の防護長尺チューブを引っ張っても容易に抜けないようにできる利点がある。
【発明を実施するための最良の形態】
【０００８】
以下この発明の実施の形態を図面に基づいて説明する。図１はこの発明の実施の形態を示す断面図で、図１において、１は光ファイバーケーブル素線（シングルモード０．２５ｍｍの素線）で、この光ファイバーケーブル素線１は、例えば、２芯の光ファイバーケーブルの外被覆を剥いて取り出し、柔軟タイプのプラスチック素材からなる透明で内径の直径が約０．７ｍｍ〜５ｍｍ程度の長尺防護チューブ２内に挿通させたものである。
【０００９】
この長尺防護チューブ２は、図２に示す室内の壁面等に貼着される長尺のチューブ嵌め込み案内体３の上部に形成されたスリット３ａから押し込めてトンネル状の空間部３ｂに嵌め込まれる。なお、チューブ嵌め込み案内体３は、比較的、柔軟なプラスチック素材等で形成される。
【００１０】
この案内体３の底面には、接着剤４（両面テープ）が塗布されていて、室内の壁面等に貼着される。また、チューブ嵌め込み案内体３の両側面には、保護カバー５を装着する際の係止溝３ｃが形成されていて、この係止溝３ｃに保護カバー５の係合部５ａを嵌め込んで保護カバー５を装着する。なお、チューブ嵌め込み案内体３に保護カバー５を装着したときの大きさは、高さが約２．５〜６ｍｍ、幅が約５〜８ｍｍ程度のものである。
【００１１】
図３は、チューブ嵌め込み案内体３に長尺防護チューブ２を嵌め込んで、案内体３に保護カバー５を被せて室内の壁面部１０に沿わせて配設し、さらに天井部１１に沿わせたときの配置構成図で、この図３において、壁面部１０から天井部１１に向かう場合の角部における長尺防護チューブ２の曲げ角度Ｒは、約３〜１０ｍｍ程度で配置する。なお、図中のＡ，Ｂ部の長さは、約８〜２０ｍｍ程度である。
【００１２】
図４は、２芯の光ファイバーインドアケーブル１２を室外から室内に引き込む時の壁裏隠蔽部２０における長尺防護チューブ２と光ファイバーインドアケーブル１２との処理状態を示す構成図であり、図５は長尺防護チューブ２の端末部の拡大斜視図である。
【００１３】
図４、図５において、光ファイバーインドアケーブル１２の端末部分を加工して、光ファイバーケーブル素線１と一対の光ファイバーケーブル素線保護鋼線６を剥き出し、光ファイバーケーブル素線１は長尺防護チューブ２内を挿通させる。その長尺防護チューブ２は、壁面部１０を貫通させて、室内に導き、壁面部１０に沿ってチューブ嵌め込み案内体３を用いて壁面に配設する。
【００１４】
長尺防護チューブ２を壁面に配設する際に、長尺防護チューブ２は、単に光ファイバーケーブル素線１を挿通してあるだけ、壁裏隠蔽部２０の位置で長尺防護チューブ２の端部は固定してないために、室内配線中に長尺防護チューブ２が抜けてくる虞がある。
【００１５】
このため、長尺防護チューブ２が抜けないように、長尺防護チューブ２の外周に一対の小径のチューブ７を設け、この小径のチューブ７に光ファイバーインドアケーブル１２に設けられている一対の光ファイバーケーブル素線保護鋼線６を、図５に示すように貫通させて引き出し、引き出した鋼線６をＵ字状に折り曲げてから周囲をテープ８で巻き付け固定し、さらに、その外周囲近傍を熱収縮チューブ９を用いて固定する。
【００１６】
このように構成することにより、長尺防護チューブ２は、配線中に引っ張っても、光ファイバーケーブル素線保護鋼線６によって固定されるために抜けることがなくなる。なお、その固定部分と光ファイバーインドアケーブル１２は、壁裏隠蔽部２０で固定させる。
【図面の簡単な説明】
【００１７】
【図１】この発明の実施の形態を示す断面図。
【図２】チューブ嵌め込み案内体の斜視図。
【図３】チューブ嵌め込み案内体に長尺防護チューブを嵌め込んで保護カバーを被せ室内の壁面部、天井部に沿わせたときの配置構成図。
【図４】壁裏隠蔽部における長尺防護チューブと光ファイバーインドアケーブルとの処理状態を示す構成図。
【図５】長尺防護チューブ２の端末部の拡大斜視図。
【符号の説明】
【００１８】
１…光ファイバーケーブル素線
２…長尺防護チューブ
３…チューブ嵌め込み案内体
３ａ…スリット
３ｂ…空間部
３ｃ…係止溝
４…接着剤
５…保護カバー
５ａ…係合部
６…光ファイバーケーブル素線保護鋼線
７…小径のチューブ
８…テープ
９…熱収縮チューブ
１０…壁面部
１１…天井部
１２…光ファイバーインドアケーブル
【図１】
2008070399.tif 000003
【図２】
2008070399.tif 000004
【図３】
2008070399.tif 000005
【図４】
2008070399.tif 000006
【図５】
2008070399.tif 000007